(57)【特許請求の範囲】
【請求項１】
表示画面を有する平板状の表示手段と、
前記表示手段の前記表示画面上に配置された可視領域調整フィルタと、
前記可視領域調整フィルタ上の箇所を頂点とする逆角錐の各側面に配置されている複数のミラーを備え、
前記各ミラーは、前記可視領域調整フィルタに対して傾斜角度θで傾斜しており、
前記表示画面には、前記各ミラーに対向する表示領域に表示画像が表示され、
前記可視領域調整フィルタは、前記表示画面の前記各表示領域上に配置された、可視領域の可視角度αを調整する遮光部材が平行に配置されている複数の分割可視領域調整フィルタを有し、
前記各分割可視領域調整フィルタは、前記逆角錐の底面を前記可視領域調整フィルタに射影した場合に、前記底面を形成する各辺の中心点と前記逆角錐の頂点を結ぶ線の延在方向と前記遮光部材の延在方向との間の角度γが前記可視角度α以上となるように、また、ミラーの正面から当該ミラーを見た場合、前記表示画面の当該ミラーに対向する表示領域と当該ミラーとの間の領域が前記各分割可視領域調整フィルタの不可視領域に含まれるように配置されていることを特徴とする表示装置。
【請求項２】
請求項１に記載の表示装置であって、
前記各分割可視領域調整フィルタは、前記角度γが９０度となるように配置されていることを特徴とする表示装置。
【請求項３】
請求項１または２に記載の表示装置であって、
前記表示手段は、前記各表示領域に対応する形状の表示画面を有する複数の表示器により構成されていることを特徴とする表示装置。
【発明の詳細な説明】
【技術分野】
【０００１】
本発明は、表示装置に関し、特に、表示手段の表示画面に表示される、表示対象を異なる方向から見た複数の表示画像を、表示画面に対して傾斜して配置されている複数のミラーで反射させる表示装置に関する。
【背景技術】
【０００２】
画像を表示する表示装置として、例えば、非特許文献１に開示されている表示装置が知られている。図９に、非特許文献１に開示されている表示装置２００が示されている。
表示装置２００は、表示画面２２０ａを有する表示手段２２０、ミラー２３１ａ〜２３１ｆ、遮光板２５１ａ〜２５１ｆを備えている。
ミラー２３１ａ〜２３１ｆは、表示手段２２０の表示画面２２０ａ上の箇所Ｐを頂点とする逆正６角錐の側面に配置されている。ミラー２３１ａ〜２３１ｆは、表示手段２２０の表示画面２２０ａに対して傾斜角度４５度で傾斜するように配置されている。遮光板２５１ａ〜２５１ｆは、ミラー２３１ａ〜２３１ｆの境界と表示画面２２０ａの間に配置されている。
表示手段２２０の表示画面２２０ａの、各ミラー２３１ａ〜２３１ｆに対向する領域には、表示対象を異なる方向から見た表示画像が表示される。各ミラー２３１ａ〜２３１ｆは、表示画面２２０ａの、各ミラー２３１ａ〜２３１ｆに対向する領域に表示される表示画像を反射させて虚像を形成する。表示画面２２０ａに対する各ミラー２３１ａ〜２３１ｆの傾斜角度が４５度に設定されているため、各ミラー２３１ａ〜２３１ｆにより形成される虚像は、頂点Ｐを通る、逆正６角錐の中心軸Ｙ上の同じ箇所に結像される。これにより、観察者は、見る位置に応じて、表示対象の異なる方向からの画像（虚像）を見ることができるため、表示対象を立体的に視認することができる。
【先行技術文献】
【非特許文献】
【０００３】
【非特許文献１】「小型で持ち運び可能な３６０度立体映像ディスプレ技術を開発−液晶ディスプレイの画面上に鏡を置いたシンプルな機構で実現」、インターネット＜URL：http://www.hitachi.co.jp/rd/portal/pdf/reserch/arl070806nrd_ic.pdf＞
【発明の概要】
【発明が解決しようとする課題】
【０００４】
非特許文献１に開示されている表示装置では、各ミラー２３１ａ〜２３１ｆの境界と表示画面２２０ａの間に、表示画面２２０ａに直角な方向に延在する遮光板２５１ａ〜２５１ｆが配置されている。これにより、観察者は、ミラーの正面から画像を視認する際に、周囲の画像が視界に入ることがない。
しかしながら、遮光板２５１ａ〜２５１ｆが存在することにより、視界の閉塞感を生じさせ、また、画像の立体感を損なっていた。さらに、各ミラー２３１ａ〜２３１ｆの境界と表示画面２２０ａの間に配置されている遮光板２５１ａ〜２５１ｆでは、正面の表示画面に表示されている表示画像そのものが視界に入るのを防止することができなかった。
本発明は、このような点に鑑みて創案されたものであり、各ミラーの境界と表示画面との間に遮光板を配置することなく、画像の視認性を改善することができる技術を提供することを目的とする。
【課題を解決するための手段】
【０００５】
本発明は、表示画面を有する平板状の表示手段と、表示手段の表示画面上に配置されている可視領域調整フィルタと、複数のミラーを備えている。
各ミラーは、可視領域調整フィルタ上の箇所を頂点とする逆角錐の各側面に、可視領域調整フィルタに対して傾斜角度θで傾斜するように配置されている。表示画面には、各ミラーに対向する表示領域に表示画像が表示される。
各表示領域には、典型的には、表示対象を異なる方向から見た表示画像が表示される。可視領域調整フィルタに対する各ミラーの傾斜角度θは、表示画面に対する各ミラーの傾斜角度とほぼ等しい。傾斜角度θは、典型的には、４５度に設定される。傾斜角度θが４５度に設定される場合、各ミラーは、対応する表示領域に表示される表示画像を反射させ、各ミラーにより形成される逆角錐の中心軸上の同じ箇所に虚像を結像させる。
可視領域調整フィルタは、表示画面の各表示領域上に配置される複数の分割可視領域調整フィルタを有している。分割可視領域調整フィルタは、分割可視領域調整フィルタが配置される表示領域に表示される表示画像を見ることができる可視領域（可視角度α）と、見ることができないあるいは見るのが困難である不可視領域（不可視角度β）を調整する（設定する）遮光部材が平行に配置されている。各分割可視領域調整フィルタは、典型的には、平行に配置された遮光部材（「ルーバー」と呼ばれている）を有するシート状のフィルムとして構成される。可視領域は、典型的には、遮光部材の延在方向と直交する方向から見て、分割可視領域調整フィルタ上の点から分割可視領域調整フィルタに直交する方向に延在する線に対して、遮光部材の配列方向に沿った両側の領域を含むＶ字状の領域として規定される。また、可視角度は、Ｖ字状の領域の角度として規定される。可視領域でない領域が、不可視領域である。
各分割可視領域調整フィルタは、逆角錐の底面を可視領域調整フィルタに射影した場合に、逆角錐の底面を形成する各辺の中心点と逆角錐の頂点を結ぶ線の延在方向と遮光部材の延在方向との間の角度γが各分割可視領域調整フィルタの可視角度α以上（［γ≧α］）となるように、また、ミラーの正面からミラーを見た場合、ミラーに対向する表示領域とミラーとの間の領域が各分割可視領域調整フィルタの不可視領域に含まれるように（可視領域に含まれないように）、表示画面上に配置される。
なお、請求項に記載されている「逆角錐」および「底面」は、仮想上の「逆角錐」および「底面」を意味し、実際に設けられている「逆角錐」および「底面」を意味するものではない。
本発明では、ミラーの正面からミラーを見る場合に、正面の表示領域および周囲の表示領域に表示されている表示画像が視界に入るのを防止することができるため、画像の視認性を改善することができる。また、１つの可視領域調整フィルタを用いる場合に較べて、フィルタ面積を低減することができ、コストを低減することができる。
本発明の異なる形態では、各分割可視領域調整フィルタは、角度γが９０度（「略９０度」を含む）となるように各表示領域上に配置される。
本形態では、正面の表示領域に表示されている表示画像が視界に入るのをより確実に防止することができる。
本発明の他の異なる形態では、表示手段は、各表示領域に対応する形状の表示画面を有する複数の表示器により構成されている。
【発明の効果】
【０００６】
本発明では、各ミラーの境界と表示顔面との間に遮光板を配置することなく、画像の視認性を改善することができる。
【図面の簡単な説明】
【０００７】
【図１】本発明の表示装置の一実施形態の概略構成を示す図である。
【図２】図１のＩＩ−ＩＩ線断面図である。
【図３】表示画面に表示される表示画像を説明する図である。
【図４】一実施形態の表示装置の制御回路を示す図である。
【図５】可視領域調整フィルタを説明する図である。
【図６】本実施形態における可視領域調整フィルタの作用を説明する図である。
【図７】可視領域調整フィルタの一実施形態を説明する図である。
【図８】可視領域調整フィルタの他の実施形態を説明する図である。
【図９】従来の表示装置を示す図である。
【発明を実施するための形態】
【０００８】
以下に本発明の表示装置の実施形態を、図面を参照して説明する。
なお、本明細書では、「上方」あるいは「上側」という記載は、表示画面から見て、ミラーが配置されている側（表示画像が見える側）を示し、「下方」あるいは「下側」という記載は、表示画面から見て、ミラーが配置されている側と反対側を示す。また、「横方向」という記載は、表示画面の延在方向（ミラーに対して、角錐の中心軸と反対側）を示す。
【０００９】
本発明の表示装置の一実施形の表示装置１０が、図１、図２に示されている。図１は、本実施形態の表示装置１０の概略構成を示す図であり、図２は、図１のＩＩ−ＩＩ線断面図である。
表示装置１０は、液晶表示器２０、ミラー３１ａ〜３１ｆ、可視領域調整フィルタ４０により構成されている。
【００１０】
液晶表示器２０は、平板状に形成されており、表示画面２０ａを有している。
可視領域調整フィルタ４０は、液晶表示器２０の表示画面２０ａ上に配置されている。可視領域調整フィルタ４０については後述する。
ミラー３１ａ〜３１ｆは、可視領域調整フィルタ４０上の点Ｐを頂点とする逆角錐の各側面に配置されている。本実施形態では、ミラー３１ａ〜３１ｆは、点Ｄ１〜Ｄ６を結ぶ線により形成される正６角形の底面と、点Ｄ１〜Ｄ６を結んだ、底面の各辺と頂点Ｐとの間に形成される二等辺三角形の側面により構成される逆正６角錐の側面に配置されている。すなわち、本実施形態のミラー３１ａ〜３１ｆは、点Ｄ１〜Ｄ６を結ぶ線と頂点Ｐを結ぶ線により形成される二等辺三角形の形状を有している。本実施形態では、ミラー３１ａ〜３１ｆとしてハーフミラーが用いられている。各ミラー３１ａ〜３１ｆは、可視領域調整フィルタ４０に対して傾斜角度θで傾斜するように配置されている。本実施形態では、傾斜角度θが４５度（「略４５度」を含む）に設定されている。
なお、本明細書中に記載されている「逆角錐」、「角錐」および「底面」は、仮想上の「逆角錐」、「角錐」および「底面」を意味し、実際に設けられている「逆角錐」、「角錐」および「底面」を意味しているものではない。
なお、後述するように、可視領域調整フィルタ４０は薄いフィルム状のシートで構成されている。したがって、可視領域調整フィルタ４０上の点Ｐは、「表示画面２０ａ上の点Ｐ」ということもできる。また、可視領域調整フィルタ４０上の点Ｐを頂点とする逆角錐は、「表示画面２０ａ上の点Ｐを頂点とする逆角錐」ということもできる。また、可視領域調整フィルタ４０に対する傾斜角度θは、「表示画面２０ａに対する傾斜角度θ」ということもできる。
【００１１】
液晶表示器２０の表示画面２０ａは、図３に示されているように、点Ａ１〜Ａ６を結ぶ線により形成される正６角形の領域を有している。また、正６角形の領域は、点Ａ１〜Ａ６を結ぶ線と中心点Ｐにより形成される二等辺三角形の複数の分割領域２０Ａ〜２０Ｆに分割されている。分割領域２０Ａ〜２０Ｆは、逆角錐の側面に配置されるミラー３１ａ〜３１ｆに対向する位置に形成される。
分割領域２０Ａ〜２０Ｆには、表示対象を異なる方向から見た表示画像Ｇ１〜Ｇ６が表示される。例えば、分割領域２０Ａには、表示対象を正面（０度）から見た表示画像Ｇ１が表示され、分割領域２０Ｂには、表示対象を６０度の方向から見た表示画像Ｇ２が表示され、分割領域２０Ｃには、表示対象を１２０度の方向から見た表示画像Ｇ３が表示され、分割領域２０Ｄには、表示対象を背面（１８０度）から見た表示画像Ｇ４が表示され、分割領域２０Ｅには、表示対象を２４０度の方向から見た表示画像Ｇ５が表示され、分割領域２０Ｆには、表示対象を３００度の方向から見た表示画像Ｇ６が表示される。
なお、分割領域２０Ａ〜２０Ｆに表示する表示画像Ｇ１〜Ｇ６の向きや角度等は、ミラー３１ａ〜３１ｆでの反射等を考慮して設定される。
本実施形態では、各ミラー３１ａ〜３１ｆの可視領域調整フィルタ４０（表示画面２０ａ）に対する傾斜角度θが４５度に設定されているため、各ミラー３１ａ〜３１ｆは、表示画面２０ａの、各ミラー３１ａ〜３１ｆに対向する分割領域２０Ａ〜２０Ｆに表示される表示画像Ｇ１〜Ｇ６を反射させて、虚像Ｓ１〜Ｓ６を逆角錐の中心軸Ｙ上の同じ箇所に結像させる。したがって、観察者は、見る位置に応じて、表示対象の異なる方向からの画像（虚像）を見ることができるため、表示対象を立体的に視認することができる。
【００１２】
本実施形態では、液晶表示器２０の表示画面２０ａが、本発明の「表示画面」に対応し、表示画面２０ａの分割領域２０Ａ〜２０Ｆが、本発明の「表示画面の、各ミラーに対向する表示領域」に対応する。また、可視領域調整フィルタ４０が、本発明の「可視領域調整フィルタ」に対応する。
【００１３】
本実施形態の表示装置１０の制御回路の一実施形態を、図４に示す。
本実施形態の表示装置１０の制御回路は、主制御手段１１０、記憶手段１２０、表示制御手段１３０、表示手段２０、音制御手段１４０、音発生手段１５０により構成されている。音発生手段１５０としては、例えば、スピーカが用いられる。
主制御手段１１０は、記憶手段１２０に記憶されているプログラムやデータ等に基づいて、表示制御信号を表示制御手段１３０に出力するとともに、音制御信号を音制御手段１４０に出力する。
表示制御手段１３０は、表示制御信号に基づいて、表示手段２０の表示画面２０ａの各分割領域２０Ａ〜２０Ｆに表示する表示画像Ｇ１〜Ｇ６を制御する。
音制御手段４０は、音制御信号に基づいて、音発生手段１５０から発生する音を制御する。
【００１４】
次に、可視領域調整フィルタ４０について説明する。
可視領域調整フィルタ４０は、可視領域調整フィルタ４０が配置される表示画面に表示されている文字情報や画像情報等の情報を見ることができる可視領域（可視角度α）と、情報を見ることができないあるいは見るのが困難である不可視領域（不可視角度β）を設定する。
本実施形態では、可視領域調整フィルタ４０として、表示画面に表示されている文字情報や画像情報等の情報を横から見えないようにするためのプライバシフィルタを用いている。
本実施形態の可視領域調整フィルタ４０は、図１、図５、図７に示されているように、平行に配置された遮光部材（「ルーバー」と呼ばれている）４０ａを有するシート状のフィルムとして構成されている。
【００１５】
図５に示されているように、可視領域調整フィルタ４０により設定される可視領域は、遮光部材４０ａの延在方向に直交する方向から見て、可視領域調整フィルタ４０上の点Ｐから、可視領域調整フィルタ４０に直交する方向に延在する線Ｙに対して、遮光部材４０ａの延在方向に直交する方向（遮光部材４０ａの配列方向）に沿った両側の領域を含むＶ字状の領域として規定される。また、可視領域の可視角度αは、Ｖ字状の領域の境界を示す線Ｌ１とＬ２により形成される角度として規定される。
可視領域調整フィルタ４０により設定される不可視領域は、可視領域を除く領域として規定される。また、遮光部材４０ａの延在方向に直交する方向に沿った、可視領域両側の不可視領域の不可視角度βは、［９０度−（α／２）］で表される。
【００１６】
液晶表示器２０の表示画面２０ａ上に可視領域調整フィルタ４０を配置した場合の作用を、図６を参照して説明する。図６では、可視領域調整フィルタ４０の遮光部材４０ａの延在方向に直交する方向（遮光部材４０ａの配置方向）が、図６の左右方向となるように可視領域調整フィルタ４０が配置されているものとする。
【００１７】
各ミラー３１ａ〜３１ｆにより形成される角錐の頂点Ｐについて考えると、角錐の中心軸Ｙを中心に図６の左右両側の境界線Ｌ１とＬ２により形成される、可視角度αを有するＶ字状の可視領域が設定される。なお、境界線Ｌ１より図６の左側の領域および境界線Ｌ２より図６の右側の領域は、不可視領域として設定される。不可視領域の不可視角度βは、前述したように、［９０度−（α／２）］で表される。
一方、ミラー３１ａ〜３１ｆは、可視領域調整フィルタ４０（表示画面２０ａ）に対して傾斜角度θで傾斜するように配置されている。本実施形態では、傾斜角度θが４５度に設定されている。
【００１８】
ここで、ミラー３１ｃの正面の位置Ｅ１０からミラー３１ｃ見た場合、あるいは、ミラー３１ｆの正面の位置Ｅ２０からミラー３１ｆを見た場合を考える。
可視領域調整フィルタ４０が配置されていない従来の表示装置２００では、位置Ｅ１００からミラー３１ｃを見た場合、ミラー３１ｃによって中心軸Ｙ上に結像された虚像Ｓ３だけでなく、正面の表示領域２０Ｃに表示されている表示画像Ｇ３も視界に入る。同様に、位置Ｅ２０からミラー３１ｆを見た場合、虚像Ｓ６だけでなく正面の表示領域２０Ｆに表示されている表示画像Ｇ６も視界に入る。
【００１９】
一方、本実施形態では、表示画面２０ａ上に配置されている可視領域調整フィルタ４０によって、可視領域と不可視領域が設定される。この場合、位置Ｅ１０からミラー３１ｃを見た場合に、ミラー３１ｃにより中心軸Ｙ上に結像される虚像Ｓ３が可視領域内に位置し、正面の表示領域２０Ｃに表示される表示画像Ｇ３が不可視領域内に位置するように設定されていれば、虚像Ｓ３のみが視界に入り、表示画像Ｇ３が視界に入らなくなる（見えなくなる）。位置Ｅ２０からミラー３１ｆを見た場合も、同様に設定されていれば、虚像Ｓ６のみが視界に入り、表示画像Ｇ６が視界に入らなくなる（見えなくなる）。
したがって、ミラー３１ａ〜３１ｆの正面から見て、表示手段２０ａの、ミラー３１ａ〜３１ｆに対向する表示領域２０Ａ〜２０Ｆとミラー３１ａ〜３１ｆとの間の領域が可視領域調整フィルタ４０の不可視領域に含まれるように設定することにより、ミラー３１ａ〜３１ｆの正面からミラー３１ａ〜３１ｆを見た場合に、虚像Ｓ１〜Ｓ６のみが視界に入り、正面の表示画面２０Ａ〜２０Ｆに表示されている表示画像Ｇ１〜Ｇ６が視界に入らないようにすることができる。
本実施形態では、可視領域調整フィルタ４０（表示画面２０ａ）に対して傾斜角度θが４５度に設定されている。したがって、可視領域調整フィルタ４０として、例えば、可視角度αが６０度である可視領域調整フィルタを用いることでこれを達成することができる。可視角度αが６０度である可視領域設定フィルタ４０としては、例えば、市販のプライバシフィルタを用いることができる。
【００２０】
なお、「ミラー３１ａ〜３１ｆの正面からミラー３１ａ〜３１ｆを見た場合」は、「逆角錐の底面を可視領域調整フィルタ（表示画面）に射影した場合に、逆角錐の底面を形成する各辺の中心点と逆角錐の頂点Ｐを結ぶ線の延在方向に平行（「略平行」を含む）に沿って見た場合」が対応する。例えば、逆角錐の底面を可視調整フィルタ４０（表示画面２０ａ）に射影した状態を示す図７において、点Ｄ１とＤ２を結ぶ線の中心点と逆角錐の頂点Ｐ通る線に沿った位置Ｅ１からミラー３１ａを見た場合が対応する。
本実施形態の表示装置１０を見る場合、例えば、ミラー３１ａを見る場合には、位置Ｅ１の付近からミラー３１ａを見る（ミラー３１ａの正面からミラー３１ａを見る）ことが多いため、このような状態を想定しても問題はない。
【００２１】
以上は、正面の表示領域に表示される表示画像について考えたが、次に、隣接する表示領域に表示される表示画像について考える。
この場合も、前述した「ミラー３１ａ〜３１ｆの正面からミラー３１ａ〜３１ｆを見た場合」を想定して考えれば十分である。ミラー３１ａ〜３１ｆの正面からミラー３１ａ〜３１ｆを見た場合に、隣接する表示領域（正面の表示領域の隣の表示領域）に表示される表示画像が視界に入らないようにするには、逆角錐の底面を可視領域調整フィルタ（表示画面）に射影した場合に、逆角錐の底面を形成する各辺の中心点と逆角錐の頂点Ｐを結ぶ線の延在方向と可視領域調整フィルタの遮光部材の延在方向との間の角度γが、可視領域調整フィルタの可視角度α以上となるように設定すればよい。
【００２２】
本実施形態の可視領域調整フィルタ４０の配置態様の一例を図７に示す。図７は、逆角錐の頂点Ｐを通る逆角錐の中心軸Ｙに直交する方向から見た図、すなわち、逆角錐の底面を可視領域調整フィルタ（表示画面）に射影した状態を示す図である。なお、ミラー３１ａ〜３１ｆの傾斜角度θが４５度に設定され、可視領域調整フィルタ４０の可視角度αが６０度に設定されているものとする。
本実施形態の表示装置１０では、各ミラー３１ａ〜３１ｆが逆角錐の側面に配置されている。そして、図７では、可視領域調整フィルタ４０の遮光部材４０ａの延在方向が、ミラー３１ａ〜３１ｆにより形成される逆角錐の底面を形成する辺のうちのいずれかの辺、図７では、点Ｄ１（Ａ１）とＤ２（Ａ２）を結ぶ線および点Ｄ４（Ａ４）とＤ５（Ａ５）を結ぶ辺の延在方向と平行（「略平行」を含む）になるように、可視領域調整フィルタ４０が表示画面２０ａ上に配置されている。
この場合、点Ｄ１とＤ２を結ぶ辺の中心点と頂点Ｐを結ぶ線の延在方向（ミラー３１ａの正面の位置Ｅ１からミラー３１ａを見る方向）と遮光部材４０ａの延在方向との間の角度γ１、点Ｄ４とＤ５を結ぶ辺の中心点と頂点Ｐを結ぶ線の延在方向（ミラー３１ｄの正面の位置Ｅ４からミラー３１ｄを見る方向）と遮光部材４０ａの延在方向との間の角度γ４は、９０度に設定される。また、点Ｄ２とＤ３を結ぶ辺の中心点と頂点Ｐを結ぶ線の延在方向（ミラー３１ｂの正面の位置Ｅ２からミラー３１ｂを見る方向）と遮光部材４０ａの延在方向との間の角度γ２、点Ｄ３とＤ４を結ぶ辺の中心点と頂点Ｐを結ぶ線の延在方向（ミラー３１ｃの正面の位置Ｅ３からミラー３１ｃを見る方向）と遮光部材４０ａの延在方向との間の角度γ３、点Ｄ５とＤ６を結ぶ辺の中心点と頂点Ｐを結ぶ線の延在方向（ミラー３１ｅの正面の位置Ｅ５からミラー３１ｅを見る方向）と遮光部材４０ａの延在方向との間の角度γ５、点Ｄ６とＤ１を結ぶ辺の中心点と頂点Ｐを結ぶ線の延在方向（ミラー３１ｆの正面の位置Ｅ６からミラー３１ｆを見る方向）と遮光部材４０ａの延在方向との間の角度γ６は、６０度に設定される。
このように角度γ１〜γ６が、可視領域調整フィルタ４０の可視角度α（この場合、６０度）より大きくなるように（［γ≧α］）設定されているため、各ミラー３１ａ〜３１ｆの正面からミラー３１ａ〜３１ｆを見た場合、隣接する表示領域に表示されている表示画像が視界に入ることはない。
なお、可視領域調整フィルタ４０の配置態様は、図７に示されている配置態様に限定されない。
本実施形態の可視領域調整フィルタ４０を用いる場合には、ミラーは、好適には、逆５角錐（逆正５角錐）、逆６角錐（逆正６角錐）、逆７角錐（逆正７角錐）の側面に配置される。
【００２３】
可視領域調整フィルタの他の実施形態を図８に示す。図８は、逆角錐の頂点Ｐを通る逆角錐の中心軸Ｙに直交する方向から見た図、すなわち、逆角錐の底面を可視領域調整フィルタ（表示画面）に射影した状態を示す図である。図８に示されている可視領域調整フィルタ５０は、複数の分割可視領域調整フィルタ５１〜５６を有している。分割可視領域調整フィルタ５１〜５６は、平行に配置されている遮光部材５１ａ〜５６ａを有しているとともに、表示画面２０ａの対応する表示領域２０Ａ〜２０Ｆと同じ形状に形成されている。
また、分割可視領域調整フィルタ５１〜５６は、遮光部材５１ａ〜５６ａの延在方向が、ミラー３１ａ〜３１ｆにより形成される角錐の底面を形成する辺、図８では、点Ｄ１（Ａ１）とＤ２（Ａ２）を結ぶ辺、点Ｄ２（Ａ２）とＤ３（Ａ３）を結ぶ辺、点Ｄ３（Ａ３）とＤ４（Ａ４）を結ぶ辺、点Ｄ４（Ａ４）とＤ５（Ａ５）を結ぶ辺、点Ｄ５（Ａ５）とＤ６（Ａ６）を結ぶ辺、点Ｄ６（Ａ６）とＤ１（Ａ１）を結ぶ辺の延在方向と平行（「略平行」を含む）になるように、表示画面２０ａの各表示領域２０Ａ〜２０Ｆ上に配置されている。
この場合、点Ｄ１とＤ２を結ぶ辺の中心点と頂点Ｐを結ぶ線の延在方向（ミラー３１ａの正面の位置Ｅ１からミラー３１ａを見る方向）と遮光部材５１ａの延在方向との間の角度γ１、点Ｄ２とＤ３を結ぶ辺の中心点と頂点Ｐを結ぶ線の延在方向（ミラー３１ｂの正面の位置Ｅ２からミラー３１ｂを見る方向）と遮光部材５２ａの延在方向との間の角度γ２、点Ｄ３とＤ４を結ぶ辺の中心点と頂点Ｐを結ぶ線の延在方向（ミラー３１ｃの正面の位置Ｅ３からミラー３１ｃを見る方向）と遮光部材５３ａの延在方向との間の角度γ３、点Ｄ４とＤ５を結ぶ辺の中心点と頂点Ｐを結ぶ線の延在方向（ミラー３１ｄの正面の位置Ｅ４からミラー３１ｄを見る方向）と遮光部材５４ａの延在方向との間の角度γ４、点Ｄ５とＤ６を結ぶ辺の中心点と頂点Ｐを結ぶ線の延在方向（ミラー３１ｅの正面の位置Ｅ５からミラー３１ｅを見る方向）と遮光部材５５ａの延在方向との間の角度γ５、点Ｄ６とＤ１を結ぶ辺の中心点と頂点Ｐを結ぶ線の延在方向（ミラー３１ｆの正面の位置Ｅ６からミラー３１ｆを見る方向）と遮光部材５６ａの延在方向との間の角度γ６は、９０度に設定される。
【００２４】
本実施形態の可視領域調整フィルタ５０（分割可視領域調整フィルタ５１〜５６）を用いた場合も、角度γ１〜γ６が可視領域調整フィルタ５０（分割可視領域調整フィルタ５１〜５６）の可視角度α（この場合、６０度）より大きくなるように設定されているため、ミラー３１ａ〜３１ｆの正面からミラー３１ａ〜３１ｆを見た場合、隣接する表示領域に表示されている表示画像が視界に入ることはない。
また、図８に示されている配置態様では、ミラー３１ａ〜３１ｆの正面からミラー３１ａ〜３１ｆを見る方向が分割可視領域調整フィルタ５１〜５６の遮光部材５１ａ〜５６ａの延在方向と直交しているため、正面の表示領域２０Ａ〜２０Ｆに表示されている表示画像Ｇ１〜Ｇ６が視界に入るのをより確実に防止することができる。
また、本実施形態では、分割可視領域調整フィルタ５１〜５６を、表示領域２０Ａ〜２０Ｆの形状に対応させることができる。これにより、可視領域調整フィルタ５０の大きさを、図７に示した可視領域調整フィルタ４０より小さくすることができるため、コストを低減することができる。
なお、可視領域調整フィルタ５０（分割可視領域調整フィルタ５１〜５６）の配置態様は、図８に示されている配置態様に限定されない。
【００２５】
本発明は、実施形態で説明した構成に限定されず、種々の変更、追加、削除が可能である。
表示手段の表示画面上に配置する可視領域調整フィルタとしては、遮光部材が平行に配置された１つの可視領域調整フィルタを用いることもできるし、複数の分割可視領域調整フィルタを用いることもできる。また、可視領域調整フィルタや分割可視領域調整フィルタの形状は、適宜設定することができる。例えば、分割可視領域調整フィルタは、１つの表示領域を覆う形状に形成することもできるし、複数の表示領域を覆う形状に形成することもできる。
平行に配置された遮光部材を有する可視領域調整フィルタを用いたが、可視領域調整フィルタとしては、各ミラーにより形成される逆角錐の中心軸に直交する方向から見て（逆角錐の底面を可視領域調整フィルタ（表示画面）に射影した状態で見て）、逆角錐の底面を形成する各辺の中心点と逆角錐の頂点を結ぶ線の延在方向と遮光部材の延在方向との間の角度γが可視角度α以上となり（［γ≧α］）、また、ミラーの正面から見た場合、表示画面の表示領域とミラーとの間の領域を可視領域調整フィルタの不可視領域に含ませることができる種々のフィルタを用いることができる。
ミラーとしては、ハーフミラー以外の種々の構成のミラーを用いることができる。
ミラーの配置態様としては、正６角形の底面を有する逆正６角錐の側面に配置する態様に限定されず、正６角形以外の正多角形の底面を有する逆正多角錐の側面に配置する態様や、多角形の底面を有する逆多角錐の側面に配置する態様を用いることができる。
表示画面に対する各ミラーの傾斜角度は、４５度に限定されず種々変更可能である。なお、傾斜角度を４５度以外の角度に設定する場合には、ミラーにより形成される虚像を逆角錐の中心軸に結像させる工夫が必要である。
表示手段は、液晶表示器以外の種々の表示器により構成することができる。
１つの表示画面を各ミラーに対向する表示領域に区分けしたが、各表示領域に対応する形状を有する複数の表示画面を用いることもできる。例えば、各表示領域に対応する形状の表示画面を有する複数の表示器を用いる。
本発明の表示装置の制御回路は、実施形態で説明した構成に限定されない。
実施形態で説明した各構成は、単独で用いることもできるし、適宜選択した複数を組み合わせて用いることもできる。
【符号の説明】
【００２６】
１０、２００  表示装置
２０、２２０  液晶表示器（表示手段）
２０ａ、２２０ａ  表示画面
２０Ａ〜２０Ｆ  表示領域
３１ａ〜３１ｆ、２３１ａ〜２３１ｆ  ミラー
４０  可視領域調整フィルタ
４０ａ  遮光部材
１１０  主制御手段
１２０  記憶手段
１３０  表示制御手段
１４０  音制御手段
１５０  音発生手段
２５１ａ〜２５１ｆ  遮光版
【図１】
0006508821.tif 000002
【図２】
0006508821.tif 000003
【図３】
0006508821.tif 000004
【図４】
0006508821.tif 000005
【図５】
0006508821.tif 000006
【図６】
0006508821.tif 000007
【図７】
0006508821.tif 000008
【図８】
0006508821.tif 000009
【図９】
0006508821.tif 000010